(57)【要約】【課題】ユーザーが、より容易かつ適切に所望の接続端子にケーブルを接続することが可能な表示装置等を提供すること。【解決手段】それぞれが異なる信号の入力および出力の少なくとも一方が可能な複数の接続端子を有するプロジェクタ１０が、ユーザーによる特定の信号の選択を示す選択情報を入力する選択情報入力部１１６と、前記選択情報に基づき、前記複数の接続端子のうち使用すべき接続端子を判定する判定部１２２と、判定部１２２によって判定された接続端子の位置を、画像、音、光のうちの少なくとも１つを用いて指示する制御部１２６とを含んで構成される。【選択図】図１
2007225908.tif 000002
【特許請求の範囲】
【請求項１】
それぞれが異なる信号の入力および出力の少なくとも一方が可能な複数の接続端子を有する表示装置であって、
ユーザーによる特定の信号の選択を示す選択情報を入力する選択情報入力部と、
前記選択情報に基づき、前記複数の接続端子のうち使用すべき接続端子を判定する判定部と、
当該判定部によって判定された接続端子の位置を、画像、音、光のうちの少なくとも１つを用いて指示する指示部と、
を含むことを特徴とする表示装置。
【請求項２】
請求項１に記載の表示装置において、
前記指示部は、
前記接続端子ごとに発光する複数の発光部と、
前記発光部の発光を制御する制御部と、
を含み、
前記制御部は、前記判定部によって判定された接続端子用の発光部を発光させることにより、前記位置を指示することを特徴とする表示装置。
【請求項３】
請求項１、２のいずれかに記載の表示装置において、
前記指示部は、前記判定部によって判定された接続端子の向きを示す指示画像を生成する画像生成部を含むことを特徴とする表示装置。
【請求項４】
請求項３に記載の表示装置において、
前記表示装置は、プロジェクタであって、
前記判定部は、前記プロジェクタの設置方向を判定し、
前記画像生成部は、前記設置方向に応じて前記接続端子の向きを決定することを特徴とする表示装置。
【請求項５】
それぞれが異なる信号の入力および出力の少なくとも一方が可能な複数の接続端子と、選択情報入力部と、判定部と、指示部とを有する表示装置用の接続端子指示方法であって、
前記選択情報入力部は、ユーザーによる特定の信号の選択を示す選択情報を入力し、
前記判定部は、前記選択情報に基づき、前記複数の接続端子のうち使用すべき接続端子を判定し、
前記指示部は、前記判定部によって判定された接続端子の位置を、画像、音、光のうちの少なくとも１つを用いて指示することを特徴とする接続端子指示方法。
【発明の詳細な説明】
【技術分野】
【０００１】
本発明は、接続端子を指示するための表示装置および接続端子指示方法に関する。
【背景技術】
【０００２】
例えば、特許文献１では、複数の信号を切り替えて画像を表示する表示装置が記載されている。このように、表示装置は、種々の接続端子を有している。
【０００３】
特に、近年、表示装置に画像情報等を供給する装置は多様化しており、表示装置は、ビデオ、ＰＣ、ＤＶＤプレーヤー、ＨＤＤレコーダー、セットトップボックス、チューナー、デジタルビデオカメラ等の種々の装置から画像情報等を入力する。
【特許文献１】特開２００３−２８８０６５号公報
【発明の開示】
【発明が解決しようとする課題】
【０００４】
このように、種々の装置を切り替えながら画像情報等を入力する場合、ユーザーが、ケーブルを繋ぎ変える必要も生じるが、従来の表示装置ではケーブルを繋ぎ変えを容易にすることが考慮されておらず、ユーザーにとってケーブルを繋ぎ変える作業は間違えやすく、手間のかかる作業であった。
【０００５】
本発明の目的は、ユーザーが、より容易かつ適切に所望の接続端子にケーブルを接続することが可能な表示装置および接続端子指示方法を提供することにある。
【課題を解決するための手段】
【０００６】
上記課題を解決するため、本発明に係る表示装置は、
それぞれが異なる信号の入力および出力の少なくとも一方が可能な複数の接続端子を有する表示装置であって、
ユーザーによる特定の信号の選択を示す選択情報を入力する選択情報入力部と、
前記選択情報に基づき、前記複数の接続端子のうち使用すべき接続端子を判定する判定部と、
当該判定部によって判定された接続端子の位置を、画像、音、光のうちの少なくとも１つを用いて指示する指示部と、
を含むことを特徴とする。
【０００７】
また、本発明に係る接続端子指示方法は、
それぞれが異なる信号の入力および出力の少なくとも一方が可能な複数の接続端子と、選択情報入力部と、判定部と、指示部とを有する表示装置用の接続端子指示方法であって、
前記選択情報入力部は、ユーザーによる特定の信号の選択を示す選択情報を入力し、
前記判定部は、前記選択情報に基づき、前記複数の接続端子のうち使用すべき接続端子を判定し、
前記指示部は、前記判定部によって判定された接続端子の位置を、画像、音、光のうちの少なくとも１つを用いて指示することを特徴とする。
【０００８】
本発明によれば、表示装置等は、使用すべき接続端子を判定し、当該接続端子の位置をユーザーに対して指示することができる。これにより、ユーザーは、より容易かつ適切に所望の接続端子にケーブルを接続することができる。
【０００９】
また、前記指示部は、
前記接続端子ごとに発光する複数の発光部と、
前記発光部の発光を制御する制御部と、
を含み、
前記制御部は、前記判定部によって判定された接続端子用の発光部を発光させることにより、前記位置を指示してもよい。
【００１０】
これによれば、表示装置等は、使用すべき接続端子を判定し、当該接続端子用の発光部を発光させることにより、接続端子の位置をユーザーに対して指示することができる。特に、接続端子が背面パネルに設けられている場合、接続端子付近は暗くなりがちであるが、表示装置等は接続端子付近を発光することができるため、ユーザーは、暗い状況においても接続作業をしやすい。
【００１１】
また、前記指示部は、前記判定部によって判定された接続端子の向きを示す指示画像を生成する画像生成部を含んでもよい。
【００１２】
これによれば、ユーザーは、Ｄ端子、ＨＤＭＩ端子等の差し込む向きが決まっている接続端子に適切にケーブルを差し込むことができる。
【００１３】
また、前記表示装置は、プロジェクタであって、
前記判定部は、前記プロジェクタの設置方向を判定し、
前記画像生成部は、前記設置方向に応じて前記接続端子の向きを決定してもよい。
【００１４】
これによれば、ユーザーは、プロジェクタ等の設置方向によって接続端子の向きが変わる場合であっても、接続端子に適切にケーブルを差し込むことができる。
【発明を実施するための最良の形態】
【００１５】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１６】
図１は、本実施例におけるプロジェクタ１０の機能ブロック図である。
【００１７】
表示装置の一種であるプロジェクタ１０は、インターフェース部１１０と、処理部１２０と、投写部１６０とを含んで構成されている。
【００１８】
また、インターフェース部１１０は、それぞれが異なる画像信号等の入力（出力または入出力でもよい。）を行う接続端子群１１２と、各接続端子付近で発光する発光部１１４と、ユーザーによる特定の信号の選択を示す選択情報を入力する選択情報入力部１１６とを含んで構成されている。
【００１９】
また、処理部１２０は、選択情報に基づき、接続端子群１１２のうち使用すべき接続端子を判定する判定部１２２と、種々の画像を生成する画像生成部１２４と、発光部１１４の発光を制御する制御部１２６とを含んで構成されている。
【００２０】
また、発光部１１４、画像生成部１２４、制御部１２６は、使用すべき接続端子の位置を指示する指示部として機能する。
【００２１】
なお、これらの各部を実装するためのハードウェアとしては以下のものを採用可能である。例えば、発光部１１４としてはＬＥＤ等、選択情報入力部１１６としてはボタン等、判定部１２２、制御部１２６としてはＣＰＵ等、画像生成部１２４としては画像処理回路、ＨＤＤ等、投写部１６０としては液晶パネル、ドライバ等を採用可能である。
【００２２】
また、プロジェクタ１０は、情報記憶媒体２００からプログラムを読み取ることにより、処理部１２０等の機能を実装してもよい。
【００２３】
なお、情報記憶媒体２００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体２００からのプログラムの読み取り方式は、接触式でも非接触式でもよい。また、プロジェクタ１０は、ネットワークを介してプログラムをダウンロードすることにより、処理部１２０等の機能を実装してもよい。
【００２４】
次に、これらの各部を用いた接続端子指示の流れについて説明する。
【００２５】
図２は、本実施例における接続端子指示の流れを示すフローチャートである。
【００２６】
選択情報入力部１１６は、ユーザーによってプロジェクタ１０に設けられた信号切替選択ボタンが押された場合、選択された画像信号等を示す選択情報を生成して処理部１２０に出力する。
【００２７】
判定部１２２は、選択情報の有無を判定することにより、信号が切り替えられたかどうかを判定する（ステップＳ１）。
【００２８】
信号が切り替えられた場合、判定部１２２は、選択情報に基づいて使用されるべき接続端子を決定し、当該接続端子から信号が入力されていないかどうかを判定する（ステップＳ２）。
【００２９】
当該接続端子から信号が入力されていない場合、制御部１２６は、当該接続端子の発光部１１４を発光する（ステップＳ３）。
【００３０】
次に、発光状態についてより具体的に説明する。
【００３１】
図３は、本実施例におけるプロジェクタ１０の背面パネル３００を示す図である。
【００３２】
例えば、背面パネル３００には、Ｄ端子用の接続端子３３１、Ｄ端子用のラベル３２１、Ｄ端子用のＬＥＤ３１１、ｖｉｄｅｏ端子用の接続端子３３２、ｖｉｄｅｏ端子用のラベル３２２、ｖｉｄｅｏ端子用のＬＥＤ３１２、Ｄ−ｓｕｂ１５ｐｉｎ端子（以下、Ｄ−ｓｕｂ端子という。）用の接続端子３３３、Ｄ−ｓｕｂ端子用のラベル３２３、Ｄ−ｓｕｂ端子用のＬＥＤ３１３、ＨＤＭＩ端子用の接続端子３３４、ＨＤＭＩ端子用のラベル３２４、ＨＤＭＩ端子用のＬＥＤ３１４が設けられている。
【００３３】
例えば、画像の入力信号がＤ４（Ｄ端子用の信号）からｖｉｄｅｏに切り替えられ、接続端子３３２からｖｉｄｅｏ信号が入力されていない場合、投写部１６０は、ｖｉｄｅｏの信号が入力されていないことを示す画像２０を投写し、制御部１２６は、ＬＥＤ３１２を発光させる。なお、この状態では他のＬＥＤ３１１、３１３、３１４は消灯した状態である。
【００３４】
以上のように、本実施例によれば、プロジェクタ１０は、使用すべき接続端子３３１〜３３４を判定し、当該接続端子３３１〜３３４の位置をユーザーに対して指示することができる。これにより、ユーザーは、より容易かつ適切に所望の接続端子にケーブルを接続することができる。
【００３５】
また、本実施例によれば、プロジェクタ１０は、発光部１１４（ＬＥＤ３１１〜３１４）を発光させることにより、接続端子３３１〜３３４の位置をユーザーに対して指示することができる。特に、接続端子３３１〜３３４が背面パネル３００に設けられている場合、接続端子３３１〜３３４付近は暗くなりがちであるが、プロジェクタ１０は接続端子３３１〜３３４付近を発光することができるため、ユーザーは、暗い状況においても接続作業をしやすい。
【００３６】
なお、本発明の適用は上述した実施例に限定されず、種々の変形が可能である。
【００３７】
例えば、上述した実施例では、プロジェクタ１０は、光を用いて使用すべき接続端子３３１〜３３４を指示したが、画像を用いてもよい。
【００３８】
図４は、本実施例における他の接続端子指示の流れを示すフローチャートである。
【００３９】
判定部１２２は、上述したステップＳ２の判定で信号入力なしと判定した場合、プロジェクタ１０の設置方向を判定する（ステップＳ１３）。より具体的には、判定部１２２は、例えば、３次元センサー等を用いてプロジェクタ１０の３次元的な設置方向を判定する。
【００４０】
そして、画像生成部１２４は、設置方向に応じた指示画像を生成し、投写部１６０は、当該指示画像を投写する（ステップＳ１４）。
【００４１】
図５は、本実施例における指示画像３０を示す図である。
【００４２】
例えば、プロジェクタ１０が通常の状態で設置された場合（図３に示す状態）、Ｄ端子等の長辺部分が下になる。なお、Ｄ端子、Ｄ−ｓｕｂ端子、ＨＤＭＩ端子等は台形部分を含んでおり、本実施例におけるプロジェクタ１０では、当該台形の長辺部分が下になるように接続端子３３１、３３３、３３４が設けられている。
【００４３】
例えば、Ｄ端子用の接続端子３３１から信号が入力されていない場合、プロジェクタ１０は、図５に示すように、信号が入力されていないことを示す文字列に加え、「１番左の接続端子にケーブル側の端子の長い方を下にして差し込んでください。」といった指示文字列３４１、接続端子の接続状態を示す接続端子提示画像３５１を含む指示画像３０を投写する。
【００４４】
また、プロジェクタ１０が天吊り状態（投写光軸を中心に１８０度回転した状態）で使用されている場合、プロジェクタ１０は、図５に示す指示画像３０とは異なる指示画像を投写する。
【００４５】
図６は、本実施例における他の指示画像３２を示す図である。
【００４６】
天吊り状態でＤ端子用の接続端子３３１から信号が入力されていない場合、プロジェクタ１０は、図６に示すように、信号が入力されていないことを示す文字列に加え、「１番左の接続端子にケーブル側の端子の長い方を上にして差し込んでください。」といった指示文字列３４１、接続端子の接続状態を示す接続端子提示画像３５２を含む指示画像３２を投写する。図５と図６を比較すればわかるように、接続端子提示画像３５２は、接続端子提示画像３５１が１８０度回転した状態になっている。
【００４７】
このように、プロジェクタ１０が指示画像３０、３２を投写することにより、ユーザーは、Ｄ端子、ＨＤＭＩ端子等の差し込む向きが決まっている接続端子に適切にケーブルを差し込むことができる。
【００４８】
また、これによれば、ユーザーは、プロジェクタ１０のように設置方向によって接続端子の向きが変わる場合であっても、接続端子に適切にケーブルを差し込むことができる。
【００４９】
なお、指示画像は、図５、図６に示す例に限定されず、例えば、背面パネル３００の撮像画像であって、接続する部分を矢印で示す画像等であってもよい。また、指示画像は、ケーブルの差し込み方を動画像で示す画像であってもよい。また、プロジェクタ１０の設置方向が縦方向等の場合であっても、プロジェクタ１０は、指示画像３０と同様の指示画像を生成することができる。
【００５０】
また、プロジェクタ１０に音声出力部を設け、音声出力部が、指示文字列３４１等を音声出力することにより、接続端子３３１〜３３４を音声で指示してもよい。
【００５１】
また、プロジェクタ１０は、画像、音、光のうちの複数を組み合わせて（例えば、画像と音の組み合わせ、画像と光の組み合わせ等）接続端子３３１〜３３４を指示してもよい。
【００５２】
また、発光部１１４は、図３に示すＬＥＤ３１１〜３１４には限定されず、例えば、ラベル３２１〜３２４を発光させるものであってもよいし、接続端子３３１〜３３４を発光させるものであってもよい。また、ＬＥＤ３１１〜３１４の形状は円形に限定されず、矢印形状等であってもよい。
【００５３】
また、接続端子は、接続端子３３１〜３３４には限定されず、コンポーネント端子、Ｓ−ビデオ端子、音声入力端子等であってもよい。
【００５４】
また、選択情報入力部１１６は、選択ボタンの押下に応じて選択情報を入力（または生成）する手法に代えてリモートコントローラの操作に応じて選択情報を入力する手法を採用してもよい。
【００５５】
また、接続端子の指示を行うタイミングは、信号切り替え時には限定されず、例えば、表示装置の電源投入時等であってもよい。
【００５６】
また、本発明を適用可能なプロジェクタは、前面投写型のプロジェクタに限定されず、背面投写型のプロジェクタであってもよい。また、プロジェクタは、液晶プロジェクタには限定されず、ＣＲＴプロジェクタ、ＤＬＰプロジェクタ、ＬＥＤプロジェクタ等であってもよい。
【００５７】
また、本発明を適用可能な表示装置は、プロジェクタに限定されず、例えば、プロジェクションＴＶ、液晶ＴＶ、液晶ディスプレイ、ノートＰＣ等の複数の接続端子３３１〜３３４を有する種々の表示装置を採用可能である。
【００５８】
また、表示装置の機能を複数の装置に分散して（例えば、セットトップボックスと液晶ＴＶ等）実装してもよい。
【図面の簡単な説明】
【００５９】
【図１】本実施例におけるプロジェクタの機能ブロック図である。
【図２】本実施例における接続端子指示の流れを示すフローチャートである。
【図３】本実施例におけるプロジェクタの背面パネルを示す図である。
【図４】本実施例における他の接続端子指示の流れを示すフローチャートである。
【図５】本実施例における指示画像を示す図である。
【図６】本実施例における他の指示画像を示す図である。
【符号の説明】
【００６０】
１０  プロジェクタ、３０、３２  指示画像、１１２  接続端子群、１１４  発光部、１１６  選択情報入力部、１２２  判定部、１２４  画像生成部、１２６  制御部、３００  背面パネル、３１１〜３１４  ＬＥＤ、３２１〜３２４  ラベル、３３１〜３３４  接続端子
【図１】
2007225908.tif 000003
【図２】
2007225908.tif 000004
【図３】
2007225908.tif 000005
【図４】
2007225908.tif 000006
【図５】
2007225908.tif 000007
【図６】
2007225908.tif 000008